【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
シートに画像を形成する画像形成手段と、
シートが積載されるシート積載部と、
前記シート積載部から送り出されたシートを前記画像形成手段に搬送するように装置本体の外壁側に配置された第１搬送路と、
前記画像形成手段で画像を形成されたシートを前記画像形成手段に再搬送するように前記第１搬送路よりも前記装置本体の内方側に配置された第２搬送路と、
回動動作により前記第１搬送路を開放する開放部と、
前記開放部により前記第１搬送路を開放した状態で、前記第１搬送路と前記第２搬送路が合流する合流部において前記第２搬送路を開放可能に前記装置本体に対して可動に設けられたガイドユニットと、を有することを特徴とする画像形成装置。
【請求項２】
前記ガイドユニットは、前記装置本体から取外し可能であって、前記装置本体から取り外されることで前記合流部における前記第２搬送路が開放される、
ことを特徴とする請求項１に記載の画像形成装置。
【請求項３】
前記ガイドユニットをスライド移動自在に支持する支持部を備え、
前記ガイドユニットは、その着脱に際して前記支持部に支持されてスライド移動される、
ことを特徴とする請求項２に記載の画像形成装置。
【請求項４】
前記第１搬送路は、互いに隙間をあけて対向する第１内側ガイド及び第１外側ガイドを有して形成され、
前記第２搬送路は、互いに隙間をあけて対向する第２内側ガイド及び第２外側ガイドを有して形成され、
前記開放部は、前記第１外側ガイドを含み、前記第１外側ガイドを回動させて前記第１搬送路を開放し、
前記ガイドユニットは前記第１内側ガイドと前記第２外側ガイドとを含み、前記開放部により前記第１搬送路を開放した状態で、前記第１内側ガイドと前記第２外側ガイドとを一体に前記装置本体から取り外されることで前記第２搬送路を開放する、
ことを特徴とする請求項１乃至３のいずれか１項に記載の画像形成装置。
【請求項５】
前記合流部と前記画像形成手段との間に配置されて、前記画像形成手段での転写タイミングに合わせて前記合流部からシートを送り込むレジストレーション部を備え、
前記支持部は、前記合流部における前記ガイドユニットの、前記レジストレーション部の延設方向の両端部を支持する、
ことを特徴とする請求項３に記載の画像形成装置。
【請求項６】
前記ガイドユニットと前記装置本体との間に設けられたスナップフィット部を備え、
前記ガイドユニットは、前記装置本体に前記スナップフィット部によって取り外しが規制される、
ことを特徴とする請求項１乃至５のいずれか１項に記載の画像形成装置。
【請求項７】
前記合流部と前記画像形成手段との間でシートの通過を検知するシート通過検知手段を備え、
前記シート通過検知手段は、前記ガイドユニットの前記装置本体への装着状態と未装着状態とを検知する装着状態検知手段として兼用される、
ことを特徴とする請求項１乃至６のいずれか１項に記載の画像形成装置。
【請求項８】
前記開放部は、前記合流部における前記第１搬送路に連結された開閉ドアを含み、
前記開閉ドアが開閉動作されることにより前記第１搬送路が開放状態と閉止状態とに切り換えられる、
ことを特徴とする請求項１乃至７のいずれか１項に記載の画像形成装置。
【請求項９】
前記画像形成手段、前記画像形成手段で画像を形成されたシートを前記画像形成手段に再搬送する再搬送路、及び前記シート積載部は、前記装置本体における上側からこの順に配置され、
前記第１搬送路は、前記シート積載部に対応する部位から前記画像形成手段に向かって湾曲する円弧形状を有し、
前記第２搬送路は、前記第１搬送路の円弧形状の中心と同じ側に中心を有して前記再搬送路から前記画像形成手段に向かって前記第１搬送路よりも大きい曲率で湾曲する、
ことを特徴とする請求項１乃至８のいずれか１項に記載の画像形成装置。
【請求項１０】
装置本体と、
シートを積載するシート積載部と、
シートに画像を形成する画像形成手段と、
前記画像形成手段にシートを搬送する搬送ローラ対と、
前記シート積載部から前記搬送ローラ対に向けて搬送されるシートを案内する第１搬送路と、
前記第１搬送路よりも前記装置本体の外壁とは反対側の前記装置本体の内方側にて前記第１搬送路と並設されると共に、前記搬送ローラ対側の端部が合流部にて前記第１搬送路に接続される第２搬送路と、
前記第１搬送路と前記第２搬送路とを合流させるように、前記第１搬送路の前記第２搬送路側のガイドと前記第２搬送路の前記第１搬送路側のガイドとの前記合流部側の部分が一体に形成されたガイドユニットと、を備え、
前記ガイドユニットが、前記第１搬送路及び第２搬送路を構成してシートを案内する案内位置から移動して前記第２搬送路を前記装置本体の外壁側に開放可能に構成された、
ことを特徴とする画像形成装置。
【請求項１１】
前記装置本体の外壁の開口部を塞ぐ閉位置と前記開口部を開放する開位置とに移動可能に、前記装置本体に回動可能に取り付けられた開閉ドアと、
前記第１搬送路の前記外壁側のガイドの内、前記ガイドユニットと対向する部分と前記開閉ドアとを連結し、前記ガイドユニットと対向する部分のガイドを前記開閉ドアと共に回動させ、前記開閉ドアが開位置となった際に前記第１搬送路を外部に露出させる連結部材と、を備えた、
ことを特徴とする請求項１０に記載の画像形成装置。
【請求項１２】
前記第２搬送路は、前記第１搬送路上の前記シート積載部よりも前記搬送ローラ対に近い位置にて前記第１搬送路に対して接続され、
前記ガイドユニットは、前記装置本体から取り外し可能に構成されている、
ことを特徴とする請求項１０又は１１に記載の画像形成装置。
【手続補正２】
【補正対象書類名】明細書
【補正対象項目名】０００８
【補正方法】変更
【補正の内容】
【０００８】
本発明は、画像形成装置において、シートに画像を形成する画像形成手段と、シートが積載されるシート積載部と、前記シート積載部から送り出されたシートを前記画像形成手段に搬送するように装置本体の外壁側に配置された第１搬送路と、前記画像形成手段で画像を形成されたシートを前記画像形成手段に再搬送するように前記第１搬送路よりも前記装置本体の内方側に配置された第２搬送路と、回動動作により前記第１搬送路を開放する開放部と、前記開放部により前記第１搬送路を開放した状態で、前記第１搬送路と前記第２搬送路が合流する合流部において前記第２搬送路を開放可能に前記装置本体に対して可動に設けられたガイドユニットと、を有することを特徴とする。
また、本発明は、画像形成装置において、装置本体と、シートを積載するシート積載部と、シートに画像を形成する画像形成手段と、前記画像形成手段にシートを搬送する搬送ローラ対と、前記シート積載部から前記搬送ローラ対に向けて搬送されるシートを案内する第１搬送路と、前記第１搬送路よりも前記装置本体の外壁とは反対側の前記装置本体の内方側にて前記第１搬送路と並設されると共に、前記搬送ローラ対側の端部が合流部にて前記第１搬送路に接続される第２搬送路と、前記第１搬送路と前記第２搬送路とを合流させるように、前記第１搬送路の前記第２搬送路側のガイドと前記第２搬送路の前記第１搬送路側のガイドとの前記合流部側の部分が一体に形成されたガイドユニットと、を備え、前記ガイドユニットが、前記第１搬送路及び第２搬送路を構成してシートを案内する案内位置から移動して前記第２搬送路を前記装置本体の外壁側に開放可能に構成された、ことを特徴とする。
【手続補正３】
【補正対象書類名】明細書
【補正対象項目名】０００９
【補正方法】変更
【補正の内容】
【０００９】
本発明によれば、第１搬送路と共に第２搬送路を開放する構成を簡単な構成で実現し、紙詰まり処理を容易にし、部品点数増加を抑えて小型化を実現可能な画像形成装置を得ることができる。